(57)【要約】【課題】トラフィックの総量を抑制することができる通信システムを提供すること。【解決手段】基地局装置と、端末装置とからなる通信システムであって、基地局装置は、自装置における、通信トラフィックの空き容量を示す空き容量情報を、端末装置に通知し、端末装置は、基地局装置に対する送信データを即時に送信するか保持するかを、該送信データに関する情報と、基地局装置から受信した空き容量情報とを参照して決定する通信制御部を具備することを特徴とする。【選択図】図１
2014049828.tif 000002
【特許請求の範囲】
【請求項１】
基地局装置と、端末装置とからなる通信システムであって、
前記基地局装置は、自装置における、通信トラフィックの空き容量を示す空き容量情報を、前記端末装置に通知し、
前記端末装置は、
前記基地局装置に対する送信データを即時に送信するか保持するかを、該送信データに関する情報と、前記基地局装置から受信した前記空き容量情報とを参照して決定する通信制御部
を具備することを特徴とする通信システム。
【請求項２】
前記送信データに関する情報は、前記送信データの種類を含むことを特徴とする請求項１に記載の通信システム。
【請求項３】
前記送信データに関する情報は、前記送信データの大きさを含むことを特徴とする請求項１または請求項２に記載の通信システム。
【請求項４】
前記通信制御部は、前記空き容量情報が示す空き容量が、予め設定された閾値よりも大きいときに、即時に送信すると判断し、
前記送信データの大きさが相対的に大きいほど、前記閾値も相対的に大きいこと
を特徴とする請求項３に記載の通信システム。
【請求項５】
前記送信データに関する情報は、前記送信データの送信周期を含むことを特徴とする請求項１に記載の通信システム。
【請求項６】
前記通信制御部は、前記空き容量情報が示す空き容量が、予め設定された閾値よりも大きいときに、即時に送信すると判断し、
前記送信周期の大きさが相対的に大きいほど、前記閾値が相対的に大きいこと
を特徴とする請求項５に記載の通信システム。
【請求項７】
自装置における、通信トラフィックの空き容量を示す空き容量情報を、端末装置に通知する基地局装置と通信する端末装置であって、
前記基地局装置に対する送信データを即時に送信するか保持するかを、該送信データに関する情報と、前記基地局装置から受信した前記空き容量情報とを参照して決定する通信制御部
を具備することを特徴とする端末装置。
【請求項８】
基地局装置と、端末装置とからなる通信システムにおける通信方法であって、
前記基地局装置が、自装置における、通信トラフィックの空き容量を示す空き容量情報を、前記端末装置に通知する第１の過程と、
前記端末装置が、前記基地局装置に対する送信データを即時に送信するか保持するかを、該送信データに関する情報と、前記基地局装置から受信した前記空き容量情報とを参照して決定する第２の過程と
を有することを特徴とする通信方法。
【請求項９】
コンピュータを、
基地局装置が送信した空き容量情報であって、自装置における、通信トラフィックの空き容量を示す空き容量情報を受信する受信部、
前記基地局装置に対する送信データを即時に送信するか保持するかを、該送信データに関する情報と、前記空き容量情報とを参照して決定する通信制御部
として機能させるためのプログラム。
【請求項１０】
コンピュータを、
基地局装置が送信した空き容量情報であって、自装置における、通信トラフィックの空き容量を示す空き容量情報を受信する受信部、
前記基地局装置に対する送信データを即時に送信するか保持するかを、該送信データに関する情報と、前記空き容量情報とを参照して決定する通信制御部
として機能させるためのプログラムを記憶した記憶媒体。
【発明の詳細な説明】
【技術分野】
【０００１】
本発明は、通信システム、端末装置、通信方法、プログラムおよび記憶媒体に関する。
【背景技術】
【０００２】
移動体通信サービスでは、通信端末の数の増加と、個々の通信端末で使用されるアプリケーションの高機能化に伴い、通信量は増加の一途を辿っている。このため、基地局にトラフィックが飽和して、機能障害が生じる等の問題が発生している。この問題に対する対策として、基地局からトラフィックの状態情報を報知して、これを基に情報端末が接続先の基地局を分散させ、特定の基地局にトラフィックが集中しないようにすることが提案されている（特許文献１参照）。
【先行技術文献】
【特許文献】
【０００３】
【特許文献１】特開２０１１−１９９６２８号公報
【発明の概要】
【発明が解決しようとする課題】
【０００４】
しかしながら、特許文献１のように、基地局から報知されたトラフィックの状態情報を基に接続先の基地局を決定する通信システムにおいては、トラフィックを複数の基地局に分散できるものの、ある時刻におけるトラフィックの総量が、基地局の処理量の合計を超えると過負荷となってしまうという問題がある。
【０００５】
本発明は、このような事情に鑑みてなされたもので、その目的は、トラフィックの総量を抑制することができる通信システム、端末装置、通信方法、プログラムおよび記憶媒体を提供することにある。
【課題を解決するための手段】
【０００６】
（１）この発明は上述した課題を解決するためになされたもので、本発明の一態様は、基地局装置と、端末装置とからなる通信システムであって、前記基地局装置は、自装置における、通信トラフィックの空き容量を示す空き容量情報を、前記端末装置に通知し、前記端末装置は、前記基地局装置に対する送信データを即時に送信するか保持するかを、該送信データに関する情報と、前記基地局装置から受信した前記空き容量情報とを参照して決定する通信制御部を具備することを特徴とする。
【０００７】
（２）また、本発明の他の態様は、（１）に記載の通信システムであって、前記送信データに関する情報は、前記送信データの種類を含むことを特徴とする。
【０００８】
（３）また、本発明の他の態様は、（１）または（２）に記載の通信システムであって、前記送信データに関する情報は、前記送信データの大きさを含むことを特徴とする。
【０００９】
（４）また、本発明の他の態様は、（３）に記載の通信システムであって、前記通信制御部は、前記空き容量情報が示す空き容量が、予め設定された閾値よりも大きいときに、即時に送信すると判断し、前記送信データの大きさが相対的に大きいほど、前記閾値も相対的に大きいことを特徴とする。
【００１０】
（５）また、本発明の他の態様は、（１）に記載の通信システムであって、前記送信データに関する情報は、前記送信データの送信周期を含むことを特徴とする。
【００１１】
（６）また、本発明の他の態様は、（５）に記載の通信システムであって、前記通信制御部は、前記空き容量情報が示す空き容量が、予め設定された閾値よりも大きいときに、即時に送信すると判断し、前記送信周期の大きさが相対的に大きいほど、前記閾値が相対的に大きいことを特徴とする。
【００１２】
（７）また、本発明の他の態様は、自装置における、通信トラフィックの空き容量を示す空き容量情報を、端末装置に通知する基地局装置と通信する端末装置であって、前記基地局装置に対する送信データを即時に送信するか保持するかを、該送信データに関する情報と、前記基地局装置から受信した前記空き容量情報とを参照して決定する通信制御部を具備することを特徴とする。
【００１３】
（８）また、本発明の他の態様は、基地局装置と、端末装置とからなる通信システムにおける通信方法であって、前記基地局装置が、自装置における、通信トラフィックの空き容量を示す空き容量情報を、前記端末装置に通知する第１の過程と、前記端末装置が、前記基地局装置に対する送信データを即時に送信するか保持するかを、該送信データに関する情報と、前記基地局装置から受信した前記空き容量情報とを参照して決定する第２の過程とを有することを特徴とする。
【００１４】
（９）また、本発明の他の態様は、コンピュータを、基地局装置が送信した空き容量情報であって、自装置における、通信トラフィックの空き容量を示す空き容量情報を受信する受信部、前記基地局装置に対する送信データを即時に送信するか保持するかを、該送信データに関する情報と、前記空き容量情報とを参照して決定する通信制御部として機能させるためのプログラムである。
【００１５】
（１０）また、本発明の他の態様は、コンピュータを、基地局装置が送信した空き容量情報であって、自装置における、通信トラフィックの空き容量を示す空き容量情報を受信する受信部、前記基地局装置に対する送信データを即時に送信するか保持するかを、該送信データに関する情報と、前記空き容量情報とを参照して決定する通信制御部として機能させるためのプログラムを記憶した記憶媒体である。
【発明の効果】
【００１６】
この発明によれば、トラフィックの総量を抑制することができる。
【図面の簡単な説明】
【００１７】
【図１】この発明の一実施形態による無線通信システム１０の構成を示す概略ブロック図である。
【図２】同実施形態における基地局装置１００の構成を示す概略ブロック図である。
【図３】同実施形態における移動局装置２００の構成を示す概略ブロック図である。
【図４】同実施形態における優先度管理部２０３が記憶する閾値情報の例を示す図である。
【図５】同実施形態における無線通信システム１０の動作例を示すシーケンス図である。
【図６】同実施形態における基地局装置１００の動作を説明するフローチャートである。
【図７】同実施形態における移動局装置２００の動作を説明するフローチャートである。
【図８】同実施形態における送信データに関する情報として他の情報を用いる閾値情報の第１の例を示す図である。
【図９】同実施形態における送信データに関する情報として他の情報を用いる閾値情報の第２の例を示す図である。
【図１０】同実施形態における送信データに関する情報として他の情報を用いる閾値情報の第３の例を示す図である。
【発明を実施するための形態】
【００１８】
以下、図面を参照して、本発明の実施の形態について説明する。図１は、この発明の一実施形態による無線通信システム１０の構成を示す概略ブロック図である。無線通信システム１０は、基地局装置１００と、基地局装置１００と無線通信する複数の移動局装置２００とを含んで構成される。なお、図１では、基地局装置１００は、一つのみであるが、複数であってもよい。
【００１９】
図２は、基地局装置１００の構成を示す概略ブロック図である。基地局装置１００は、トラフィック情報取得部１０１、通信制御部１０２、送受信部１０３を含んで構成される。トラフィック情報取得部１０１は、自装置の通信トラフィックの空き容量を、通信制御部１０２から取得する。トラフィック情報取得部１０１は、取得した空き容量を示すトラフィック情報（空き容量情報）を、送受信部１０３を介して、移動局装置２００に通知する。通信トラフィックの空き容量としては、無線リソース（サブキャリア）の未使用率、収容可能な移動局装置２００の装置数から収容中の装置数を引いたもの、予め設定された最大セルスループットから現在のセルスループットを引いたものなど、いずれであってもよい。また、通信トラフィックの空き容量は、上りリンクに関するものであってもよいし、下りリンクに関するものであってもよいし、上りリンクと下りリンクの双方に関するものであってもよい。
【００２０】
通信制御部１０２は、入力された送信データＤＴを、宛先の移動局装置２００に送信するように送受信部１０３を制御する。また、通信制御部１０２は、各移動局装置２００から基地局装置１００に送信されたデータを送受信部１０３が受信するように制御し、受信したデータを受信データＤＲとして出力する。送受信部１０３は、移動局装置２００と通信するためのアンテナを備えている。送受信部１０３は、送信するデータの誤り訂正符号化、変調、Ｄ／Ａ（Digital/Analogue）変換、無線周波数へのアップコンバートなどを行い、アンテナを介して移動局装置２００に送信する。また、送受信部１０３は、アンテナが受信した各移動局装置２００からの信号を、ダウンコンバート、Ａ／Ｄ（Analogue/Digital）変換、復調、誤り訂正復号などを行い、受信データを検出する。
【００２１】
図３は、移動局装置２００の構成を示す概略ブロック図である。移動局装置２００は、送受信部２０１、トラフィック情報保持部２０２、優先度管理部２０３、通信制御部２０４、通信保持部２０５、アプリケーション部２０６を含んで構成される。送受信部２０１は、基地局装置１００と通信するためのアンテナを備えている。送受信部２０１は、送信するデータの誤り訂正符号化、変調、Ｄ／Ａ（Digital/Analogue）変換、無線周波数へのアップコンバートなどを行い、アンテナを介して基地局装置１００に送信する。また、送受信部２０１は、アンテナが受信した基地局装置１００からの信号を、ダウンコンバート、Ａ／Ｄ（Analogue/Digital）変換、復調、誤り訂正復号などを行い、受信データを検出する。
【００２２】
トラフィック情報保持部２０２は、送受信部２０１が基地局装置１００から受信したトラフィック情報を保持する。優先度管理部２０３は、送信データの種類と、優先度と、空き容量の閾値との対応付けを示す閾値情報を、予め記憶している。通信制御部２０４は、アプリケーション部２０６が生成した送信データを、基地局装置１００に即時に送信するか保持するかを、トラフィック情報保持部２０２が保持する空き容量情報と優先度管理部２０３が記憶する閾値情報とを参照して判定する。通信制御部２０４は、即時に送信すると判定したときは、基地局装置１００に該送信データを送信するように送受信部２０１を制御する。また、通信制御部２０４は、保持すると判定したときは、該送信データを通信保持部２０５に格納させる。
【００２３】
なお、通信制御部２０４は、トラフィック情報保持部２０２が保持するトラフィック情報が更新されたときも、通信保持部２０５が保持する送信データについて同様の判定を行う。また、通信制御部２０４は、基地局装置１００から自装置に送信されたデータを送受信部２０１が受信するように制御し、受信データをアプリケーション部２０６に入力する。通信保持部２０５は、通信制御部２０４から入力された送信データを、該送信データを基地局装置１００に送信するまで保持する。アプリケーション部２０６は、ＯＳ（Operating System）や各種アプリケーションを実行し、各種の送信データを生成する。
【００２４】
図４は、優先度管理部２０３が記憶する閾値情報の例を示す図である。閾値情報は、図４のデータテーブルに示すように、送信データの種類、優先度、トラフィックの空き容量の閾値を対応付けて記憶している。図４の例では、種類「通信制御情報」、優先度「１」、閾値「Ｔ１」を対応付けている。同様に種類「セキュリティ情報」、優先度「２」、閾値「Ｔ２」を対応付けている。また、種類「メール」、優先度「３」、閾値「Ｔ３」を対応付けている。また、種類「テキストデータ」、優先度「４」、閾値「Ｔ４」を対応付けている。また、種類「音声データ」、優先度「５」、閾値「Ｔ５」を対応付けている。また、種類「映像データ」、優先度「６」、閾値「Ｔ６」を対応付けている。また、種類「更新ファイル」、優先度「７」、閾値「Ｔ７」を対応付けている。
【００２５】
なお、図４の優先度は、値が小さい程、優先度が高いことを表す。リアルタイム性が高い種類ほど、優先度が高くなっている。さらに、その優先度に応じて、通信が許可されるトラフィック空き閾値も設定する。ここで、（Ｔ１≦Ｔ２≦Ｔ３≦Ｔ４≦Ｔ５≦Ｔ６≦Ｔ７）の関係である。つまり、優先度が低い通信程、より高いトラフィックの空きを必要とする。
【００２６】
図５は、無線通信システム１０の動作例を示すシーケンス図である。はじめの状態として、他の移動局装置２００との通信により、基地局装置１００のトラフィックが混雑していたとする（Ｓ１）。基地局装置１００のトラフィック情報取得部１０１は、自装置のトラフィック情報を測定する（Ｓ２）。トラフィック情報取得部１０１は、そのトラフィック情報を移動局装置２００に通知するように、送受信部１０３を制御する。移動局装置２００の送受信部２０１は、基地局装置１００が送信したトラフィック情報を受信する（Ｓ３）。トラフィック情報保持部２０２は、受信したトラフィック情報を保持する。
【００２７】
ここで、移動局装置２００において、アプリケーション部２０６が送信データを生成し、通信の必要が生じたとする（Ｓ４）。移動局装置２００の通信制御部２０４は、アプリケーション部２０６から入力された送信データの通信を即時に実行するか保持するかを判定する（Ｓ５）。この場合は、トラフィックが混雑している状態のため、通信制御部２０４は、前記通信を実行しないで、保持する（Ｓ６）。
【００２８】
ここで、時間が経過し、基地局装置１００におけるトラフィックが少量の状態になったとする（Ｓ７）。基地局装置１００のトラフィック情報取得部１０１は、自装置のトラフィック情報を測定する（Ｓ８）。トラフィック情報取得部１０１は、そのトラフィック情報を移動局装置２００に通知するように、送受信部１０３を制御する。移動局装置２００の送受信部２０１は、基地局装置１００が送信したトラフィック情報を受信する（Ｓ９）。
【００２９】
トラフィック情報保持部２０２は、受信したトラフィック情報で、保持していたトラフィック情報を更新する。トラフィック情報が更新されると、移動局装置２００の通信制御部２０４は、通信保持部２０５に保持している送信データの通信を、即時に実行するか保持するかを判定する（Ｓ１０）。この場合は、トラフィックが少量のため、通信制御部２０４は、通信を即時に実行すると判定し、送受信部２０１に実行させる（Ｓ１１）。
【００３０】
図６は、基地局装置１００の動作を説明するフローチャートである。なお、図６に示すフローチャートは、移動局装置２００からの通信の受信に関する処理を示すものである。まず、基地局装置１００は、自装置のトラフィック情報を取得する（Ｓａ１）。具体的には、トラフィック情報取得部１０１が、自装置のトラフィックを測定し、該測定の結果からトラフィックの空き容量を示すトラフィック情報Ｓ１を取得し、保持する。
【００３１】
基地局装置１００は、トラフィック情報を、全移動局装置２００に通知する（Ｓａ２）。具体的には、トラフィック情報取得部１０１は、取得したトラフィック情報Ｓ１を、送受信部１０３を介して、全移動局装置２００に通知する。全移動局装置２００に通知する方法としては、全移動局装置２００宛ての情報である報知情報に含ませる方法がある。次に、通信制御部１０２は、移動局装置２００と通信を行う必要があるか否かを判定し（Ｓａ３）、必要があると判定したときは（Ｓａ３−Ｙｅｓ）、通信を実行し（Ｓａ４）、ステップＳａ１に戻り、処理を繰り返す。また、通信制御部１０２は、ステップＳａ３にて必要がないと判定したときは（Ｓａ３−Ｎｏ）、そのままステップＳａ１に戻り、処理を繰り返す。
【００３２】
図７は、移動局装置２００の動作を説明するフローチャートである。なお、図７に示すフローチャートは、基地局装置１００への送信に関する処理を示すものである。まず、移動局装置２００は、基地局装置１００からのトラフィック情報を受信する（Ｓｂ１）。具体的には、まず、送受信部２０１が、基地局装置１００から送信されるトラフィック情報Ｓ１を受信する。そして、トラフィック情報保持部２０２が、受信したトラフィック情報Ｓ１を保持する。
【００３３】
移動局装置２００は、通信の必要があるかないかを判断する（Ｓｂ２）。具体的には、通信制御部２０４が、アプリケーション部２０６から通信（送信データの送信）の要求があるかないかを判断する。要求がないと判断としたときは（Ｓｂ２−Ｎｏ）、ステップＳｂ１に戻り、トラフィック情報の受信を行う。また、ステップＳｂ２にて、要求があると判断したときは（Ｓｂ２−Ｙｅｓ）、通信制御部２０４は、通信の優先度と、閾値とを取得する（Ｓｂ３）。具体的には、まず、通信制御部２０４は、送信する送信データの種類を、アプリケーション部２０６から取得する。ここで、種類とは、例えば、通信制御情報、セキュリティ情報、メールなど、送信データの内容に関する種類である。通信制御部２０４は、優先度管理部２０３が記憶する閾値情報を参照し、取得した種類と対応付けて記憶している優先度と、トラフィック空き閾値Ｔを読み出す。
【００３４】
次に、移動局装置２００は、前記通信を即時に実行可能か否かを判断する（Ｓｂ４）。具体的には、通信制御部２０４は、ステップＳｂ３で読み出した閾値Ｔと、トラフィック情報保持部２０２が保持しているトラフィック情報Ｓ１とを比較する。通信制御部２０４は、閾値Ｔ＜トラフィック情報Ｓ１であるとき、つまり前記通信のトラフィック空き閾値Ｔより基地局装置１００のトラフィックに空きが多いときには、前記通信を即時に実行すると決定し（Ｓｂ４−Ｙｅｓ）、送信データの基地局装置１００への送信を実行するように、送受信部２０１を制御する（Ｓｂ７）。送信の実行後、ステップＳｂ１に戻り、処理を繰り返す。
【００３５】
これとは逆に、ステップＳｂ４で閾値Ｔとトラフィック情報Ｓ１とを比較した結果、閾値Ｔ＞トラフィック情報Ｓ１であるとき、つまり前記通信のトラフィック空き閾値Ｔより基地局装置１００のトラフィックの空きが少ないときには（Ｓｂ４−Ｎｏ）、前記通信を即時に実行せずに保持すると決定する。そして、通信制御部２０４は、送信データを通信保持部２０５に保持させて、前記通信を保留する（Ｓｂ６）。時間が経過して、送受信部２０１がトラフィック情報を受信し（Ｓｂ７）、トラフィック情報保持部２０２が保持するトラフィック情報が更新されると、ステップＳｂ４に戻って、処理を繰り返す。
【００３６】
すなわち、閾値Ｔ＜トラフィック情報Ｓ１となるまで、つまり前記通信のトラフィック空き閾値Ｔより基地局装置１００のトラフィックに空きが多くなるまで、前記通信を保持する。トラフィック情報が更新され、閾値Ｔ＜トラフィック情報Ｓ１となった場合には、保持していた前記通信を実行し、ステップＳｂ１に戻り、処理を繰り返す。
【００３７】
このように、移動局装置２００は、基地局装置１００のトラフィックの状態（混雑の状態）と通信の優先度に応じて、通信の実行を制御するので、トラフィック（負荷）が時間領域で平準化され、ある時刻におけるトラフィックの総量を抑制することができる。すなわち、複数の基地局装置１００を有する無線通信システムであっても、個々の基地局装置１００だけでなく無線通信システム全体としての負荷を軽減することができる。また、送信データの優先度に応じて移動局装置２００ごとのトラフィック制御ができるため、ユーザーの利便性を損なわない。
【００３８】
なお、上述の実施形態では、閾値情報として、送信データの種類と、優先度と、空き容量の閾値とを対応付ける情報を例に挙げた。しかし、閾値情報は、送信データに関する他の情報と、優先度と、空き容量の閾値とを対応付ける情報であってもよい。送信データに関する情報として、他の情報を用いる閾値情報の例を以下に挙げる。
【００３９】
図８は、送信データに関する情報として他の情報を用いる閾値情報の第１の例を示す図である。第１の例では、送信データに関する情報として、情報量を用いている。閾値情報は、図８のデータテーブルに示すように、送信データの情報量、優先度、トラフィックの空き容量の閾値を対応付けて記憶している。図８の例では、情報量「〜２ｋＢ」、優先度「１」、閾値「Ｔ１」を対応付けている。同様に情報量「２ｋＢ〜３ＭＢ」、優先度「２」、閾値「Ｔ２」を対応付けている。また、情報量「３ＭＢ〜５ＭＢ」、優先度「３」、閾値「Ｔ３」を対応付けている。また、情報量「５ＭＢ〜１０ＭＢ」、優先度「４」、閾値「Ｔ４」を対応付けている。また、情報量「１０ＭＢ〜２０ＭＢ」、優先度「５」、閾値「Ｔ５」を対応付けている。また、情報量「２０ＭＢ〜」、優先度「６」、閾値「Ｔ６」を対応付けている。
【００４０】
なお、図８の優先度も、値が小さい程、優先度が高いことを表す。さらに、その優先度に応じて、通信が許可されるトラフィック空き閾値も設定する。ここで、（Ｔ１≦Ｔ２≦Ｔ３≦Ｔ４≦Ｔ５≦Ｔ６≦Ｔ７）の関係である。つまり、情報量（送信データの大きさ）が相対的に大きいほど、優先度が低く、閾値も相対的に大きくなっている。さらに、優先度が低い通信程、より高いトラフィックの空きを必要とする。また、閾値情報として、図８の例を用いる場合は、通信制御部２０４は、送信する送信データの情報量を、アプリケーション部２０６から取得し、該情報量に対応付けられている閾値を、優先度管理部２０３から読み出す。
【００４１】
図９は、他の情報を用いる閾値情報の第２の例を示す図である。第２の例では、送信データに関する情報として、送信周期を用いている。閾値情報は、図９のデータテーブルに示すように、送信データの送信周期、優先度、トラフィックの空き容量の閾値を対応付けて記憶している。図９の例では、周期「〜３０分」、優先度「１」、閾値「Ｔ１」を対応付けている。同様に周期「３０分〜２時間」、優先度「２」、閾値「Ｔ２」を対応付けている。また、周期「２時間〜１２時間」、優先度「３」、閾値「Ｔ３」を対応付けている。また、周期「１２時間〜２４時間」、優先度「４」、閾値「Ｔ４」を対応付けている。また、周期「２４時間〜」、優先度「５」、閾値「Ｔ５」を対応付けている。
【００４２】
なお、図９の優先度も、値が小さい程、優先度が高いことを表す。さらに、その優先度に応じて、通信が許可されるトラフィック空き閾値も設定する。ここで、（Ｔ１≦Ｔ２≦Ｔ３≦Ｔ４≦Ｔ５≦Ｔ６≦Ｔ７）の関係である。つまり、周期（送信周期の大きさ）が相対的に大きいほど、リアルタイム性が低い通信であるとみなし、優先度が低く、閾値も相対的に大きくなっている。優先度が低い通信程、より高いトラフィックの空きを必要とする。また、閾値情報として、図９の例を用いる場合は、通信制御部２０４は、送信データの送信周期を、アプリケーション部２０６から取得し、該周期に対応付けられている閾値を、優先度管理部２０３から読み出す。
【００４３】
図１０は、他の情報を用いる閾値情報の第３の例を示す図である。第３の例では、送信データに関する情報として、種類と情報量を用いている。閾値情報は、図１０のデータテーブルに示すように、送信データの種類と情報量、優先度、トラフィックの空き容量の閾値を対応付けて記憶している。図１０の例では、種類「メール」、情報量「〜２ｋＢ」、優先度「１」、閾値「Ｔ１」を対応付けている。
【００４４】
同様に種類「メール＋音声データ」、情報量「〜３ＭＢ」、優先度「２」、閾値「Ｔ２」を対応付けている。また、種類「メール」、情報量「２ｋＢ〜７ＭＢ」、優先度「３」、閾値「Ｔ３」を対応付けている。また、種類「音声データ」、情報量「４ＭＢ」、優先度「４」、閾値「Ｔ４」を対応付けている。また、種類「音声データ」、情報量「４ＭＢ〜１０ＭＢ」、優先度「５」、閾値「Ｔ５」を対応付けている。また、種類「音声データ」、情報量「１０ＭＢ〜２０ＭＢ」、優先度「６」、閾値「Ｔ６」を対応付けている。また、種類「更新ファイル」、情報量「〜３５ＭＢ〜２０ＭＢ」、優先度「７」、閾値「Ｔ７」を対応付けている。
【００４５】
なお、図１０の優先度も、値が小さい程、優先度が高いことを表す。さらに、その優先度に応じて、通信が許可されるトラフィック空き閾値も設定する。ここで、（Ｔ１≦Ｔ２≦Ｔ３≦Ｔ４≦Ｔ５≦Ｔ６≦Ｔ７）の関係である。つまり、種類と情報量とを組み合わせて、リアルタイム性が高く情報量が小さいものほど優先度を高く設定している。そして、優先度が低い通信程、より高いトラフィックの空きを必要とする。なお、ここでは、全ての組み合わせ毎に、優先度および閾値が異なっているが、優先度および閾値が一致する組み合わせが複数あってもよい。また、閾値情報として、図１０の例を用いる場合は、通信制御部２０４は、送信データの種類と情報量とを、アプリケーション部２０６から取得し、該種類と情報量との組み合わせに対応付けられている閾値を、優先度管理部２０３から読み出す。
【００４６】
なお、図１０は、図３の種類と、図８の情報量とを組み合わせた例であるが、その他の組み合わせを用いるようにしてもよい。あるいは、複数の閾値情報を保持し、これらの閾値情報から取得した閾値Ｔのうち、優先度の高いものを用いるようにしてもよい。例えば、図３と図８の閾値情報を保持し、送信データの種類に対応付けられた閾値と、送信データの情報量に対応付けられた閾値とのうち、小さい方を用いるようにしてもよい。
【００４７】
また、閾値情報の内容（通信の種類、優先度、トラフィック空き閾値）は一例であり、移動局装置の開発メーカー、通信事業社、チップベンダー、ＯＳ、ユーザーにより、所定の内容に設定可能である。また、ユーザー操作や、ソフトウェアアップデートにより、変更することも可能である。
【００４８】
また、上述した実施形態における移動局装置２００および基地局装置１００の一部、または全部の機能を実現するためのプログラムをコンピュータ読み取り可能な記録媒体に記録して、この記録媒体に記録されたプログラムをコンピュータシステムに読み込ませ、実行することにより、各装置を実現するようにしてもよい。なお、ここでいう「コンピュータシステム」とは、ＯＳや周辺機器等のハードウェアを含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５０】
また、上述した実施形態における移動局装置２００および基地局装置１００の一部、または全部を、典型的には、集積回路であるＬＳＩとして実現してもよい。端末装置２００および基地局装置１００の各機能ブロックは個別にチップ化してもよいし、一部、または全部を集積してチップ化してもよい。また、集積回路化の手法はＬＳＩに限らず、専用回路、または汎用プロセッサで実現してもよい。集積回路は、ハイブリッド、モノリシックのいずれのものでも良い。また、上記のプログラムの営む機能は、一部は、ハードウェアにより、一部はソフトウェアにより実現させても良い。
【００５１】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５２】
１０…無線通信システム
１００…基地局装置
１０１…トラフィック情報取得部
１０２…通信制御部
１０３…送受信部
２００…移動局装置
２０１…送受信部
２０２…トラフィック情報保持部
２０３…優先度管理部
２０４…通信制御部
２０５…通信保持部
２０６…アプリケーション部
【図１】
2014049828.tif 000003
【図２】
2014049828.tif 000004
【図３】
2014049828.tif 000005
【図４】
2014049828.tif 000006
【図５】
2014049828.tif 000007
【図６】
2014049828.tif 000008
【図７】
2014049828.tif 000009
【図８】
2014049828.tif 000010
【図９】
2014049828.tif 000011
【図１０】
2014049828.tif 000012